(57)【要約】【課題】安全性の高い経口物誘導体を提供する。【解決手段】吸出口２１を備える誘導体本体３と、吸出口２１を覆うキャップ４とを備え、キャップ４が、キャップ本体１１と、キャップ本体１１の下部に連結されたつなぎ１４と、円筒リング下端部１６に形成された羽根１３とを有する円筒リング（リング）１２とを備え、使用開始時に、キャップ本体１１を円筒リング１２に対して回転させることでつなぎ１４をキャップ本体１１から切断し、円筒リング１２をキャップ本体１１から分離する経口物誘導体１であり、誘導体本体３が、キャップ本体１１から分離した円筒リング１２を受け止めるストッパ２３と、羽根１３を掛け止めるとともに、使用開始前にはつなぎ１４と近接する突起２５を備える。そして、誘導体本体３の長手方向におけるつなぎ１４の長さＬが、使用開始前における円筒リング下端部１６とストッパ２３との距離Ｈより大きい。【選択図】図２
2006282226.tif 000002
【特許請求の範囲】
【請求項１】
吸出口を備える略円筒状の誘導体本体と、前記吸出口を覆うキャップとを備え、
前記キャップが、
キャップ本体と、
該キャップ本体の下部に連結されたつなぎと、下端部に内向きに折り返して形成された羽根とを有する円筒状のリングとを備え、
使用開始時に、前記キャップ本体を前記リングに対して回転させることによって前記つなぎを前記キャップ本体から切断し、前記リングを前記キャップ本体から分離する経口物誘導体であって、
前記誘導体本体が、
前記キャップ本体から分離した前記リングを受け止めるストッパと、
前記羽根を掛け止めるとともに、使用開始前には前記つなぎと近接する突起とを備える経口物誘導体であって、
前記誘導体本体の長手方向における前記つなぎの長さＬが、前記使用開始前における前記リングの下端部と前記ストッパとの距離Ｈよりも大きいことを特徴とする、経口物誘導体。
【請求項２】
前記羽根を複数備え、
前記つなぎを一の羽根と別の羽根との間に設けることを特徴とする、請求項１に記載の経口物誘導体。
【請求項３】
請求項１または２に記載の経口物誘導体を上端に備えることを特徴とする、容器
【請求項４】
内容物の容量に応じて膨出収縮することを特徴とする、請求項３に記載の容器。
【発明の詳細な説明】
【技術分野】
【０００１】
本発明は、吸出口を備える略円筒状の誘導体本体と、吸出口を覆うキャップとを備え、キャップが、キャップ本体と、そのキャップ本体の下部に連結されたつなぎと、下端部に内向きに折り返して羽根とを有する円筒状のリングとを備え、使用開始時に、キャップ本体をリングに対して回転させることによってつなぎをキャップ本体から切断し、リングをキャップ本体から分離する経口物誘導体及びそれを備える容器に関する。
【背景技術】
【０００２】
従来の樹脂製の経口物誘導体は、例えば、図５に示すように、ゼリー（内容物）の容量に応じて膨出収縮するパウチ状の容器本体３５の上端に取り付けられる。
経口物誘導体は、詳しくは、吸出口５１を備える略円筒状の誘導体本体３３と、吸出口５１を覆うキャップ３４とを備え、キャップ３４が、キャップ本体４１の下部に連結されたつなぎ４４と、円筒リング下端部４６に内向きに折り返して形成された羽根４３とを有する円筒リング４２とを備え、使用開始時に、キャップ本体４１を円筒リング４２に対して回転させることによってつなぎ４４をキャップ本体４１から切断し、円筒リング４２をキャップ本体４１から分離するものである。また、誘導体本体３３の側面には、キャップ本体４１から分離した円筒リング４２を受け止めるストッパ５３と、羽根４３を掛け止めるとともに使用開始前にはつなぎ４４と近接する突起５５とを備える。
このように構成された従来の容器３２では、誘導体本体３３の長手方向におけるつなぎ４４の長さＬ’は、使用開始前における円筒リング下端部４６とストッパ５３との距離Ｈ’よりも短く構成されている。
そして、使用開始時には、ユーザーがキャップ本体４１を指で把持し、キャップ本体４１を円筒リング４２に対してねじることによってつなぎ４４を切断し、キャップ本体４１と円筒リング４２とを分離する。さらにキャップ本体４１をネジ回すことによって、キャップ本体４１を経口物誘導体３１から外し、吸出口５１を露出させる。そして、吸出口５１を口でくわえて吸引すると、ゼリーが吸い出される。
【発明の開示】
【発明が解決しようとする課題】
【０００３】
しかし、このように構成された経口物誘導体３１は、図６に示すように、円筒リング４２がストッパ５３と突起５５との間に遊嵌されており、かつ、誘導体本体３３の長手方向におけるつなぎ４４の長さＬ’は、使用開始前における円筒リング下端部４６とストッパ５３との距離Ｈ’よりも短く構成されているので、ユーザーが誘導体本体３３をくわえた状態で、誤って歯などで円筒リング４２を斜めに持ち上げた場合、円筒リング４２が突起５５を越えて上方に引き上げられ、誤飲するなどの危険性があるという問題があった。
そこでこの発明の目的は、安全性の高い経口物誘導体及びそれを備えた容器を提供することにある。
【課題を解決するための手段】
【０００４】
このため請求項１に記載の発明は、吸出口を備える略円筒状の誘導体本体と、前記吸出口を覆うキャップとを備え、前記キャップが、キャップ本体と、該キャップ本体の下部に連結されたつなぎと、下端部に内向きに折り返して形成された羽根とを有する円筒状のリングとを備え、使用開始時に、前記キャップ本体を前記リングに対して回転させることによって前記つなぎを前記キャップ本体から切断し、前記リングを前記キャップ本体から分離する経口物誘導体であって、前記誘導体本体が、前記キャップ本体から分離した前記リングを受け止めるストッパと、前記羽根を掛け止めるとともに、使用開始前には前記つなぎと近接する突起とを備える経口物誘導体であって、前記誘導体本体の長手方向における前記つなぎの長さＬが、前記使用開始前における前記リングの下端部と前記ストッパとの距離Ｈより大きいことを特徴とする。
【０００５】
請求項２に記載の発明は、請求項１に記載の経口物誘導体において、前記羽根を複数備え、前記つなぎを一の羽根と別の羽根との間に設けることを特徴とする。
【０００６】
請求項３に記載の発明は、容器が、請求項１または２に記載の経口物誘導体を上端に備えることを特徴とする。
【０００７】
請求項４に記載の発明は、請求項３に記載の容器において、内容物の容量に応じて膨出収縮することを特徴とする。
【発明の効果】
【０００８】
請求項１に記載の発明によれば、吸出口を備える略円筒状の誘導体本体と、吸出口を覆うキャップとを備え、キャップが、キャップ本体と、そのキャップ本体の下部に連結されたつなぎと、下端部に内向きに折り返して形成された羽根とを有する円筒状のリングとを備え、使用開始時に、キャップ本体をリングに対して回転させることによってつなぎをキャップ本体から切断し、リングをキャップ本体から分離する経口物誘導体であって、誘導体本体が、キャップ本体から分離したリングを受け止めるストッパと、羽根を掛け止めるとともに、使用開始前にはつなぎと近接する突起とを備える経口物誘導体であって、誘導体本体の長手方向におけるつなぎの長さＬが、使用開始前におけるリングの下端部とストッパとの距離Ｈより大きいので、リングを斜めに持ち上げた場合であっても、常に突起につなぎが近接しており、リングが突起を越えて上方に引き上げられることがなく、ユーザーが誤飲するなどの危険性を回避することができる。
従って、安全性の高い経口物誘導体を提供することができる。
【０００９】
請求項２に記載の発明によれば、羽根を複数備え、つなぎを一の羽根と別の羽根との間に設けるので、羽根とつなぎとの位置関係に規定されることなくつなぎの長さを設定することができる。
【００１０】
請求項３に記載の発明によれば、容器が経口物誘導体を上端に備えるので、上記いずれかの効果を有する容器を提供することができる。
【００１１】
請求項４に記載の発明によれば、内容物の容量に応じて膨出収縮するので、容器を押しながら内容物を吸引することが可能となり、容易に吸引することができる容器を提供することができる。
【発明を実施するための最良の形態】
【００１２】
図１は、本発明の経口物誘導体１を備える容器２の一例として内容物にゼリーを用いた容器２の側面図を示してある。
容器２は、ゼリー（内容物）を口に誘導させるための経口物誘導体１とゼリーを充填する容器本体５とで構成されている。
容器本体５は、例えば、熱可塑性樹脂（ポリエチレン）／アルミニウム／熱可塑性樹脂（ナイロン）などで構成される積層フィルムの内面と容器取付部２６とをヒートシールによって固定されている。
【００１３】
図２は、経口物誘導体１の要部拡大断面図である。
経口物誘導体１は、誘導体本体３及びキャップ４から構成され、誘導体本体３にキャップ４が係合されている。
キャップ４は、キャップ本体１１とスリット１５を介してつなぎ１４にて連結された円筒リング（リング）１２などから構成される。
また、キャップ本体１１は、雌ネジ１１ａ、密閉端１１ｂ、開口端１１ｃ、及びインナーリング１１ｄなどから構成される。
【００１４】
キャップ本体１１は、円筒状に形成され、使用開始時に把持性を向上するために外周上下方向にわたって一定の間隔で溝を設けてある。雌ネジ１１ａは、後述する誘導体本体３にある雄ネジ２２に係合するためにキャップ本体１１の内周に螺旋状に設けてあり、密閉端１１ｂは、キャップ本体１１を成形するときに樹脂を注入する注入口である。
また、開口端１１ｃは、使用開始時にキャップ４を後述するスリット１５から分離することによって、キャップ本体１１の下端に形成されるものであり、インナーリング１１ｄは、キャップ本体１１の上部内周に設けてあり、インナーリング１１ｄの外周に誘導体本体３の上端にある吸出口２１を挿入させてキャップ本体１１を容易に固定させる。
なお、スリット１５は、キャップ４を使用時によって分離させるための切り込み口であり、成形時に予め環状に切り込みを施してある。
【００１５】
円筒リング１２は、環状のスリット１５を介してキャップ本体１１の開口端１１ｃと連設される。羽根１３は、円筒リング１２の下端にある円筒リング下端部１６を介して円筒リング１２の内向きに折り返して形成される。つなぎ１４は、開口端１１ｃと円筒リング１２とを跨ぐように設け、開口端１１ｃの内周及び円筒リング１２の上部内周に連続して設けられている。なお、つなぎ１４は、使用開始時に手の力で開口端１１ｃ及び円筒リング１２にスリット１５を介して上下に分離されるため、薄肉に成形してある。
【００１６】
誘導体本体３は、吸出口２１、雄ネジ２２、ストッパ２３、把持部２４、及び突起２５などから構成される。
吸出口２１は、誘導体本体３の上端部に形成され、ゼリーを口で吸い込むための吸込口であり、雄ネジ２２は、キャップ４の雌ネジ１１ａと係合するために誘導体本体３の上部外周に螺旋状に設けてある。ストッパ２３は、使用時にスリット１５を介して開口端１１ｃと円筒リング１２とが分離され、この分離された円筒リング１２を受け止めるためのものである。また、円筒リング１２が上方に外れることを防止するために、誘導体本体３の雄ネジ２２の基端外周に突起２５を設けてある。なお、ストッパ２３の下部には、誘導体本体３を手で把持するための把持部２４を設けてある。
ここで、スリット１５とつなぎ１４の下端との長さをＬ、円周リング下端部１６とストッパ２３との距離をＨとする。
円筒リング１２の内側にある折り曲げ可能な複数の羽根１３は、突起２５に近接して上下方向の移動を規制させるとともに、誘導体本体３の外周に近接して左右方向の移動を規制させる。
【００１７】
なお、キャップ４は、ポリエチレンやポリプロピレンなどの熱可塑性樹脂で一体成形される。
また、誘導体本体３は、ポリエチレン、ポリプロピレン、ポリエチレンテレフタレート、ポリ塩化ビニル、ポリスチレンなどの熱可塑性樹脂で一体成形される。
【００１８】
図３（ａ）は、キャップ４の断面図であり、図３（ｂ）は、図３（ａ）のＡ矢視平面図である。
羽根１３は、円筒リング１２の内周にそれぞれ同一形状で一定の間隔で８個設け、羽根（一の羽根）１３とそれに一定の間隔をもって隣り合う羽根（別の羽根）１３との間につなぎ１４をそれぞれ設ける。すなわち、羽根１３を回避してつなぎ１４が設けられているので、羽根１３とつなぎ１４との位置関係に規定されることなくつなぎ１４の長さを設定することができる。なお、羽根１３とつなぎ１４の数や形状については特に限定しない。
【００１９】
ここで、キャップ４を誘導体本体３に装着する方法について説明する。円筒リング１２の羽根１３を内側へ折り返した状態で、吸出口２１にキャップ４を被せる。このとき羽根１３の内径は、雄ネジ２２の谷径よりも大きいのでキャップ４を吸出口２１に安定して装着させることができる。
また、誘導体本体３の雄ネジ２２に対してキャップ４の雌ネジ１１ａを係合させてキャップ４を吸出口２１に対して回転させながら装着する。最後に、円筒リング１２の内側に折り返した羽根１３を突起２５に乗り越えさせることで誘導体本体３とキャップ４を嵌合させることができる。
【００２０】
経口物誘導体１の使用開始時には、誘導体本体３及び円筒リング１２に対してキャップ本体１１を反時計回りに回転させて、つなぎ１４をひきちぎるようにしてスリット１５に沿って破断される。
更に、キャップ本体１１を回転させて誘導体本体３からキャップ本体１１を分離させることによって経口物誘導体１を開封する。
なお、使用開始後、円筒リング１２は、ストッパ２３によって受け止められるので、キャップ本体１１を再び誘導体本体３にねじ付けた際に、キャップ本体１１と円筒リング１２との間には、開封したことを容易に視認することができる。
従って、いたずら防止に寄与できる。
開封後、容器本体５を押すことでゼリーが押し出され、吸出口２１を介して口にゼリーが吸引される。
【００２１】
そして、キャップ本体１１を時計回りに回転させるこよによってキャップ本体１１を締める。
【００２２】
なお、吸出口２１に口をつけ吸出口２１をひっくり返して容器２内のゼリーを吸い込んだ場合、羽根１３の先端が突起２５に近接するので円筒リング１２が外れることがなく、円筒リング１２を手などで抑えておく必要はない。
【００２３】
また、キャップ本体１１が吸出口２１から取り外された後は、キャップ本体１１から分離した円筒リング１２が、誘導体本体３のストッパ２３と突起２５との間に遊嵌される。
【００２４】
図４は、使用開始時に、キャップ本体１１から分離された円筒リング１２が最も外れやすい状態を示す。
この状態は、例えば、ユーザーが飲料中に歯などで円筒リング１２を傾けた場合、円筒リング１２の右側の円筒リング下端部１６が、図２の状態からＨだけ下に傾いてストッパ２３に近接するとともに、円筒リング１２の左側の円筒リング下端部１６が、図２の状態からＨだけ上方に傾けられた場合である。このような場合であっても、円筒リング１２の左側にあるつなぎ１４は、突起２５に近接した状態を保持し、突起２５を乗り越えることを防止できる。
これはつなぎ１４の長さＬが円筒リング下端部１６とストッパ２３との距離Ｈよりも大きいことによるものである。
従って、円筒リング１２がキャップ本体１１から外れてユーザーが誤飲してしまうなどの危険性を回避することができるので、安全性の高い経口物誘導体１を提供することができる。
【００２５】
以上詳述したように、この発明の経口物誘導体１及びそれを備える容器２は、吸出口２１を備える略円筒状の誘導体本体３と、吸出口２１を覆うキャップ４とを備え、キャップ４が、キャップ本体１１と、そのキャップ本体１１の下部に連結されたつなぎ１４と、円筒リング下端部１６に内向きに折り返して羽根１３とを有する円筒リング（リング）１２とを備え、使用開始時に、キャップ本体１１を円筒リング１２に対して回転させることによってつなぎ１４をキャップ本体１１から切断し、円筒リング１２をキャップ本体１１から分離する経口物誘導体１であって、誘導体本体３が、キャップ本体１１から分離した円筒リング１２を受け止めるストッパ２３と、羽根１３を掛け止めるとともに、使用開始前にはつなぎ１４と近接する突起２５とを備える経口物誘導体１であって、誘導体本体３の長手方向におけるつなぎ１４の長さＬが、使用開始前における円筒リング下端部１６とストッパ２３との距離がＨより大きいことである。
また、羽根１３を複数備え、つなぎ１４を羽根（一の羽根）１３とその羽根１３に隣り合う羽根（別の羽根）１３との間に設けることができる。
更に、この経口物誘導体１を容器２の上端に備えることで、ゼリー（内容物）の容量に応じて膨出収縮できる。
【００２６】
なお、上述の例では、容器本体５を積層フィルムで形成した例について述べたが、誘導体本体の容器取付部に取り付け可能なものであれば材質は特に問題はない。
また、内容物はゼリーに限定されるものではなく、医薬品などであってもよい。
【図面の簡単な説明】
【００２７】
【図１】本発明の経口物収容体を備えた容器の断面図である。
【図２】図１の容器の側面図である。
【図３】（ａ）は、キャップ４の断面図、（ｂ）は、（ａ）のＡ矢視平面図である。
【図４】キャップから分離された円筒リング及び羽根が最も外れやすい状態図である。
【図５】従来の経口物誘導体を備えた容器の側面図である。
【図６】従来の経口物誘導体を備えたキャップの断面図である。
【符号の説明】
【００２８】
１    経口物誘導体
２    容器
３    誘導体本体
４    キャップ
５    容器本体
１１    キャップ本体
１１ａ    雌ネジ
１１ｂ    密閉端
１１ｃ    開口端
１１ｄ    インナーリング
１２    円筒リング（リング）
１３    羽根
１４    つなぎ
１５    スリット
１６    円筒リング下端部
２１    吸出口
２２    雄ネジ
２３    ストッパ
２４    把持部
２５    突起
２６    容器取付部
Ｈ    円筒リング下端部とストッパとの距離
Ｌ    つなぎの長さ
【図１】
2006282226.tif 000003
【図２】
2006282226.tif 000004
【図３】
2006282226.tif 000005
【図４】
2006282226.tif 000006
【図５】
2006282226.tif 000007
【図６】
2006282226.tif 000008